(57)【特許請求の範囲】
【請求項１】
壁やテーブル等に設けられる取付部に取付け可能であり、電源コードやケーブル等を接続するための配線接続装置の取付構造であって、
前記配線接続装置の外殻を成す筐体内部に接続カプラが収納された筐体の長手方向両端面からそれぞれ左右一対の基片が長手方向に延設され、該各基片から所定箇所に第１係合部が形成された係合片が上方に延び、それぞれ左右一対の係合片の上方遊端側が互いに対向方向に屈曲可能であり、また、前記取付部所定箇所には、前記配線接続装置の取付け時において前記第１係合部に係合する第２係合部が設けられており、前記係合片の遊端側を屈曲させることにより前記第１係合部と第２係合部との係合が解除され、前記係合片の所定以上の屈曲は、前記筐体の上面板の長手方向両端部に設けた左右の斜辺部と係合片の側面の当接により規制するようになっていることを特徴とする配線接続装置の取付構造。
【請求項２】
前記係合片の斜辺部と当接する側面は、斜辺部と所定間隔をもって前記斜辺部に沿うように形成されている請求項１に記載の配線接続装置の取付構造。
【請求項３】
前記両係合片同士の間に、上下方向に貫通する空間部が形成されている請求項１または２に記載の配線接続装置の取付構造。
【発明の詳細な説明】
【０００１】
【発明の属する技術分野】
本発明は、電源コードやケーブル等を接続するための配線接続装置を、壁やテーブル等に対して着脱自在に取付ける配線接続装置の取付構造に関する。
【０００２】
【従来の技術】
従来、電源コードやパソコンのケーブル等を接続するための配線接続装置を、壁やテーブル等に取付ける方法としては、例えば実用新案登録公報２５８８９１３号等に開示されているように、配線接続装置を収容した筐体に設けられた操作部の操作により出没する機構を有する係合突起を設け、この係合突起を壁やテーブルに設けられた取付部に係脱させることにより、配線接続装置を着脱可能としたもの等がある。
【０００３】
【発明が解決しようとする課題】
しかしながら、上述の取付け構造では、係合突起を出没させるための機構が非常に複雑であり、組立に手間を要するばかりか、部品点数が多くなるために製造コストが高くなるという問題を有していた。
【０００４】
本発明は、このような問題点に着目してなされたもので、複雑な機構を用いることなく、壁やテーブル等に対して容易に着脱出来る配線接続装置の取付構造を提供することを目的とする。
【０００５】
【課題を解決するための手段】
上記課題を解決するために、本発明の配線接続装置の取付構造は、壁やテーブル等に設けられる取付部に取付け可能であり、電源コードやケーブル等を接続するための配線接続装置の取付構造であって、
前記配線接続装置の外殻を成す筐体内部に接続カプラが収納された筐体の長手方向両端面からそれぞれ左右一対の基片が長手方向に延設され、該各基片から所定箇所に第１係合部が形成された係合片が上方に延び、それぞれ左右一対の係合片の上方遊端側が互いに対向方向に屈曲可能であり、また、前記取付部所定箇所には、前記配線接続装置の取付け時において前記第１係合部に係合する第２係合部が設けられており、前記係合片の遊端側を屈曲させることにより前記第１係合部と第２係合部との係合が解除され、前記係合片の所定以上の屈曲は、前記筐体の上面板の長手方向両端部に設けた左右の斜辺部と係合片の側面の当接により規制するようになっていることを特徴としている。
この特徴によれば、配線接続装置の取付部への取付け時において、筐体から延設される係合片に形成された第１係合部が取付部の第２係合片に係合することで配線接続装置の取付部からの逸脱が防止されるとともに、互いに対向する両係合片を指で摘むのみで、前記第１係合部と第２係合部との係合が解除されて配線接続装置を取付部から容易に取り外すことができ、かつ係合片の形状を複雑化することなく、係合片の過剰な屈曲による破損を防止出来る。
【０００６】
本発明の配線接続装置の取付構造は、前記係合片の斜辺部と当接する側面は、斜辺部と所定間隔をもって前記斜辺部に沿うように形成されていることが好ましい。
このようにすれば、係合片の形状を複雑化することなく、係合片の規制位置が決められる。
【０００７】
本発明の配線接続装置の取付構造は、前記両係合片同士の間に、上下方向に貫通する空間部が形成されていることが好ましい。
このようにすれば、両係合片同士の間に形成される空間部を利用して、電源コードやケーブル等を挿通することが出来る。
【００１０】
【発明の実施の形態】
以下、本発明の実施例を図面に基づいて説明すると、まず図１には本発明の取付構造が適用された配線接続装置１を天板２に設置した状態が示されており、図２には、配線接続装置１及びその取付部材３を取外した状態が示されている。
【００１１】
配線接続装置１は、図２に示されるように、内部に接続カプラ５が収納された筐体４より構成されており、この上下面には、パソコン等のコンピュータ機器から延設される通信用ケーブルＣ１のプラグを接続可能とする差込口６（下面の差込口は図示せず）がそれぞれ設けられている。
【００１２】
図２及び図４に示されるように、筐体４の上面を構成する上面板の長手方向の両端辺は、それぞれ外側から内側に向かって外方に延びる左右の斜辺部２１と、左右の斜辺部２１間に形成される外向きに開口する略Ｕ字状の曲辺部２２とから構成されており、上面板の長手方向の両端部に、後述する係合片１１の所定以上の変形を規制する規制手段を構成する張出し部８がそれぞれ形成されている。また、筐体４の前後の側面４ａ上部には、後述する係合突条２０に係合する支持突条９が長手方向に延びるように形成されている。
【００１３】
また、筐体４の長手方向の両端面４ｂ下部左右側からは、基片１０がそれぞれ筐体４の長手方向に延設されているとともに、これら基片１０の上面からは、合成樹脂からなる弾性変形可能な係合片１１が上方に延びるように形成されている。これら各係合片１１同士は互いに所定距離離間するように形成されているため、その上部が基片１０との連設部近傍を支点としてそれぞれ対向する係合片１１に向けて屈曲出来るようになっている。
【００１４】
各係合片１１の遊端側である上部外側における筐体４の支持突条９の延長線上には支持突条１４が形成されているとともに、各係合片１１の上部外側における支持突条１４の上部には凹部１５が形成されている。さらに支持突条１４の下方所定箇所には、第１係合部としての係合突起１６が突設されている。
【００１５】
各係合片１１の上部内側には、それぞれ肉厚の操作部１２が形成されており、この操作部１２における筐体４側の側面１２ａは、張出し部８の斜辺部２１との間に所定隙間をもって斜辺部２１に沿うように形成されているため、図４に示されるように、図中上方の係合片１１の操作部１２を内方へ移動させた場合において、操作部１２の側面１２ａが張出し部８の斜辺部２１に当接され、係合片１１の所定以上の変形が規制されるようになっている。
【００１６】
また、この側面１２ａの所定箇所には、張出し部８の下方に突出する突起部１３が設けられているため、図５に示されるように、係合片１１の操作部１２をそれぞれ外方へ移動させた場合において、突起部１３の上面所定箇所が張出し部８の下面所定箇所に当接され、係合片１１の所定以上の変形が規制されるようになっている。
【００１７】
図２に示される３は配線接続装置１を取り付けるための枠状の取付部材であり、天板２に形成される取付穴１７に嵌合出来るようになっている。この取付部材３の上縁部には、環状のフランジ部１８が外向きに形成されており、取付穴１７への嵌合時における下方への逸脱が防止されるようになっているとともに、取付部材３の下部所定箇所には、取付穴１７への嵌合時において取付穴１７の内周面に形成される段部１７ａに対して係合する係止爪１９が複数形成されており、取付穴１７からの上方への逸脱が防止されている。
【００１８】
取付部材３の内側面における所定箇所には、係合突条２０が内方に突出するように設けられている。この係合突条２０は、配線接続装置１の取付け時において、その上部に支持突条９、１４の下端面が載置されて配線接続装置１を支持する支持部材として機能するとともに、その下部が係合突起１６に係合する第２係合部として機能するようになっている。
【００１９】
次に、上述のように構成された配線接続装置１の取付け要領を図３（ａ）〜（ｃ）に基づいて説明すると、まず図３（ａ）に示されるように、配線接続装置１における筐体４の下部を取付部材３の内部に配置し、筐体４をさらに下方に押圧すると、図３（ｂ）に示されるように、係合突条２０により係合突起１６が内方に押圧されて、係合片１１が基片１０を支点として内方に弾性変形される。
【００２０】
そして図３（ｃ）に示されるように、支持突条９の下面が係合突条２０の上端に当接されて筐体４が取付部材３内に支持されるのとほぼ同時に、係合片１１が弾性応力により元の形状に復帰される。これにより係合突起１６と係合突条２０とが係合状態となり、筐体４の取付部材３からの上方への逸脱が防止されることになる。
【００２１】
また、配線接続装置１を天板２から取外す際には、互いに対向する２つの操作部１２をそれぞれ互いに近接する方向に移動させれば、それぞれの係合片１１が屈曲されて係合突条２０と係合突起１６との係合が解除されるため、筐体４を上方へ取外すことが可能となる。
【００２２】
このように本実施例における係合片１１は、互いに対向する対向位置にそれぞれ形成されているため、その操作部１２を互いに近接する方向に移動させる、すなわち、使用者は両操作部１２、１２を指で内向きに摘むようにすれば、係合突条２０と係合突起１６との係合が解除されるとともに、このように両操作部１２、１２を摘んだ状態で筐体４を上方に容易に取り外すことが出来る。また、操作部１２の外側に形成された凹部１５に爪先を入れるようにして摘むと容易に筐体４を引き抜くことが出来るようになっている。
【００２３】
よって、本実施例における配線接続装置１は、筐体４から基片１０を介して延設される係合片１１の係合突起１６と、取付部材３の係合突条２０との係合作用により取り外し不能に取付けられるようになっているとともに、係合片１１を屈曲させるだけの簡単な操作で係合突起１６と係合突条２０との係合を解除すれば、容易に取り外しが出来るようになっているので、複雑な機構を用いることなく、配線接続装置１を天板２に対して着脱自在に取付出来る。
【００２４】
また本実施例では、図４に示されるように、係合片１１の操作部１２の内方への所定範囲以上の移動が、側面１２ａと筐体４の上面両端部に形成された張出し部８の傾斜辺２１との当接により規制されるため、係合片１１の内方への過剰な変形による破損が防止されるようになっている。
【００２５】
さらに図５に示されるように、係合片１１の操作部１２の内方への所定範囲以上の移動が、操作部１２の側面１２ａに設けられた突起部１３と張出し部８の下面との当接により規制されるため、係合片１１の外方への過剰な変形による破損が防止されるようになっている。
【００２６】
また、本実施例における係合片１１は、筐体４の長手方向両端部に、互いに所定距離離間して対向するように設けられているため、配線接続装置１を取付部材３を介して天板２に取り付けた場合、対向する２つの係合片１１、１１の間に上下方向に貫通する空間部Ｓが形成されることになる。よって、この空間部Ｓを天板２上で使用する機器等から延設される電源コードＣ２等の挿通孔として利用することが出来る。
【００２７】
以上、本発明の実施例を図面により説明してきたが、具体的な構成はこれら実施例に限られるものではなく、本発明の要旨を逸脱しない範囲における変更や追加があっても本発明に含まれる。
【００２８】
上記実施例では、筐体４の長手方向両端面から延設された基片１０より係合片１１が上方に延びるように設けられているが、例えば図６（ａ）、（ｂ）に示されるように、係合片１１’を筐体４の側面から側方に延びるように延設して図中左右方向に屈曲可能とし、この係合片１１’に形成される係合突起１６’が、取付部材３の内側面所定箇所に形成される係合凹部２０’に対して係脱されるようにしてもよく、このように係合片１１の形状や配設位置等は種々に変形可能であり、任意に変更可能である。
【００２９】
また、係合片に形成される第１係合部が係合突起１６により、取付部としての取付部材３に形成される第２係合部が係合突条２０により構成されているが、これら第１係合部及び第２係合部は、互いに係脱自在であれば形状等は限定されるものではなく、これらが突部や凹部等により構成されていてもよい。
【００３０】
また、上記実施例における配線接続装置１は、パソコン等の通信ケーブルＣ１を接続するものであるが、本発明はこれに限定されるものではなく、例えば、図８（ａ）、（ｂ）に示される配線接続装置１’のように、筐体４の内部に電源コンセントを収容して、天板上で使用する機器から配線される電源プラグを接続できるもの等も含まれる。
【００３１】
さらに、上記実施例において配線接続装置１は取付部材３に取付けられているが、天板２等に設けられた取付穴１７等に直接着脱自在に取付出来るようになっていてもよい。
【００３２】
【発明の効果】
本発明は以下の効果を奏する。
【００３３】
（ａ）請求項１項の発明によれば、配線接続装置の取付部への取付け時において、筐体から延設される係合片に形成された第１係合部が取付部の第２係合片に係合することで配線接続装置の取付部からの逸脱が防止されるとともに、互いに対向する両係合片を指で摘むのみで、前記第１係合部と第２係合部との係合が解除されて配線接続装置を取付部から容易に取り外すことができ、かつ係合片の形状を複雑化することなく、係合片の過剰な屈曲による破損を防止出来る。
【００３４】
（ｂ）請求項２項の発明によれば、係合片の形状を複雑化することなく、係合片の規制位置が決められる。
【００３５】
（ｃ）請求項３項の発明によれば、両係合片同士の間に形成される空間部を利用して、電源コードやケーブル等を挿通することが出来る。
【図面の簡単な説明】
【図１】本発明の取付構造が適用された配線接続装置を示す外観斜視図である。
【図２】図１の配線接続装置及びこの配線装置を取付ける取付部材がそれぞれ取外された状態を示す分解斜視図である。
【図３】（ａ）〜（ｃ）は、図１の配線接続装置の取付け要領を示すＩ−Ｉ断面図である。
【図４】図１の配線接続装置の係合片を内方に屈曲させた状態を示す上面図である。
【図５】係合片を外方に屈曲させた状態を示す図４のII−II断面図である。
【図６】（ａ）、（ｂ）は、配線接続装置の他の実施例を示す一部破断平面図である。
【符号の説明】
１、１’        配線接続装置
２              天板
３              取付部材（取付部）
４              筐体
４ａ            側面
４ｂ            端面
５              接続カプラ
６              差込口
８              張出し部
９              支持突条
１０            基片
１１、１１’    係合片
１２            操作部
１２ａ          側面
１３            突起部
１４            支持突条
１５            凹部
１６、１６’    係合突起（第１係合部）
１７            取付穴
１７ａ          段部
１８            フランジ部
１９            係止爪
２０            係合突条（第２係合部）
２０’          係合凹部（第２係合部）
２１            斜辺部
２２            曲辺部
Ｃ１            ケーブル
Ｃ２            電源コード
Ｓ              空間部
【図１】
0004266062.tif 000002
【図２】
0004266062.tif 000003
【図３】
0004266062.tif 000004
【図４】
0004266062.tif 000005
【図５】
0004266062.tif 000006
【図６】
0004266062.tif 000007